(57)【特許請求の範囲】
【請求項１】
複数の強化繊維プリプレグよりなる積層構造を備えるゴルフクラブ用シャフトであって、
前記積層構造内に、弾性率及びプリプレグの単位面積当たりのガラス繊維又はカーボン繊維の質量値を示すFAW値、又は前記FAW値のみを異にする剛性調整用メインストレート層及び剛性調整用ストレート層の組み合わせよりなる剛性調整用プリプレグ層を設定し、前記剛性調整用メインストレート層及び前記剛性調整用ストレート層をそれぞれシャフト全長よりも短い長さとし、
前記剛性調整用メインストレート層及び前記剛性調整用ストレート層を長さ方向端部同士で重ね合わせたことを特徴とするゴルフクラブ用シャフト。
【請求項２】
請求項１記載のゴルフクラブ用シャフトにおいて、
前記剛性調整用メインストレート層の長さ方向端部及び／又は前記剛性調整用ストレート層の長さ方向端部に、シャフト長さ方向に対し斜めにカットした斜辺部を設けたことを特徴とするゴルフクラブ用シャフト。
【請求項３】
請求項１又は２記載のゴルフクラブ用シャフトにおいて、
前記剛性調整用ストレート層の長さを１００ｍｍ以上とするとともに前記剛性調整用メインストレート層及び前記剛性調整用ストレート層の重ね合わせ部の長さを５０ｍｍ以下としたことを特徴とするゴルフクラブ用シャフト。
【請求項４】
請求項１、２又は３記載のゴルフクラブ用シャフトにおいて、
シャフトの手元側及び先端側にそれぞれ剛性調整用メインストレート層を配置するとともにその間に剛性調整用ストレート層を配置することにより、端部同士の重ね合わせ部を複数箇所としたことを特徴とするゴルフクラブ用シャフト。
【発明の詳細な説明】
【技術分野】
【０００１】
本発明は、ゴルフクラブ用シャフトに係り、更に詳しくは、複数の強化繊維プリプレグよりなる積層構造を備えるゴルフクラブ用シャフトに関する。
【背景技術】
【０００２】
従来からゴルフクラブ用シャフトを製作する際、その剛性を調整する方法として、（１）マンドレルのテーパーを部分的に変える方法、（２）ストレート・パーツの全長を変更する方法、（３）部分的な剛性調整層を設ける方法が知られている。
【０００３】
しかしながら上記（１）の方法では、細かな剛性調整は可能であるものの、マンドレルの製作に費用及び時間が必要となる不都合がある。上記（２）の方法では、極端な剛性変更となり、細かな調整が不可能で、しかも軟らかくすることは可能だが、硬くすることが不可能である。上記（３）の方法では、パーツを追加することにより部分的に硬くすることは可能であるが、軟らかくすることが不可能である。
【０００４】
また、下記特許文献１に、剛性等を異ならせるシャフトを簡単に作製する方法が以下のように開示されている。
「シャフトの長さ方向の所定の位置で、２分割以上４分割以下に分割されたシャフト分割部材を夫々別個に作製し、これら互いに接合される接合端面の外径を同一として接合状態で段差を発生させないようにし、かつ、これら各シャフト分割部材について夫々剛性あるいは／および径を相違させて複数種類設け、上記シャフト分割部材を任意に組み合わせて接合しているゴルフクラブ用シャフトの製造方法。」
しかしながらこの方法では、１本のシャフトを長さ方向に分割して製作するため、その製作に手間及び時間がかかり過ぎる不都合がある。
【０００５】
また、下記特許文献２に、設計自由度の拡大及び剛性設計の容易化を図る方法が以下のように開示されている。
「複数の強化繊維を、該強化繊維の軸方向が一方向と該一方向と直交する方向として平織りするとともに、熱硬化性樹脂を含浸してなる二軸平織プリプレグが積層された二軸平織繊維層と、複数の強化繊維を並列させてなる複数の繊維列を、該繊維列の軸方向が、一方向と、該一方向と直交する方向と、これら２軸方向の強化繊維の軸方向に対して斜めに交差する方向と、これら３軸方向の強化繊維の軸方向に対して交差する方向とに配置するとともに、軸方向を同一とする各繊維列間に隙間を空けて管状体の厚み方向に積層し、かつ熱硬化性樹脂を含浸してなる四軸積層プリプレグが積層された四軸積層繊維層と、を備えている」
しかしながらこの方法では、多軸積層プリプレグを使用するため、シャフトの製造コストが高くなると云う不都合がある。
【先行技術文献】
【特許文献】
【０００６】
【特許文献１】特開２０００−７０４２１号公報
【特許文献２】特開２０１０−２２１５６８号公報
【発明の概要】
【発明が解決しようとする課題】
【０００７】
本発明は以上のように種々の従来技術が存在するなかで、マンドレルを変更することなく、シャフトの剛性を簡単に、部分的に変更することが可能であり、また、剛性曲線を極端に変化させずに、自然な剛性調整が可能となるゴルフクラブ用シャフトを提供することを目的とする。
【課題を解決するための手段】
【０００８】
上記目的を達成するため、本発明の請求項１によるゴルフクラブ用シャフトは、複数の強化繊維プリプレグよりなる積層構造を備えるゴルフクラブ用シャフトであって、前記積層構造内に、弾性率及びプリプレグの単位面積当たりのガラス繊維又はカーボン繊維の質量値を示すFAW値、又は前記FAW値のみを異にする剛性調整用メインストレート層及び剛性調整用ストレート層の組み合わせよりなる剛性調整用プリプレグ層を設定し、前記剛性調整用メインストレート層及び前記剛性調整用ストレート層をそれぞれシャフト全長よりも短い長さとし、前記剛性調整用メインストレート層及び前記剛性調整用ストレート層を長さ方向端部同士で重ね合わせたことを特徴とする。
【０００９】
また、本発明の請求項２によるゴルフクラブ用シャフトは、上記した請求項１記載のゴルフクラブ用シャフトにおいて、前記剛性調整用メインストレート層の長さ方向端部及び／又は前記剛性調整用ストレート層の長さ方向端部に、シャフト長さ方向に対し斜めにカットした斜辺部を設けたことを特徴とする。
【００１０】
また、本発明の請求項３によるゴルフクラブ用シャフトは、上記した請求項１又は２記載のゴルフクラブ用シャフトにおいて、前記剛性調整用ストレート層の長さを１００ｍｍ以上とするとともに前記剛性調整用メインストレート層及び前記剛性調整用ストレート層の重ね合わせ部の長さを５０ｍｍ以下としたことを特徴とする。
【００１１】
更にまた、本発明の請求項４によるゴルフクラブ用シャフトは、上記した請求項１、２又は３記載のゴルフクラブ用シャフトにおいて、シャフトの手元側及び先端側にそれぞれ剛性調整用メインストレート層を配置するとともにその間に剛性調整用ストレート層を配置することにより、端部同士の重ね合わせ部を複数箇所としたことを特徴とする。
【００１２】
上記構成を備える本発明のゴルフクラブ用シャフトにおいては、複数の強化繊維プリプレグよりなる積層構造内に、弾性率及び／又はFAW値を異にする剛性調整用メインストレート層及び剛性調整用ストレート層の組み合わせよりなる剛性調整用プリプレグ層が設けられているため、この剛性調整用組み合わせプリプレグ層内において、剛性調整用メインストレート層及び剛性調整用ストレート層の長さ比や重ね合わせ部の位置などを変更することにより、シャフト全体としての剛性を有り様を調整することが可能とされる。FAW値は、プリプレグ１ｍ2当たりに含まれるガラス繊維又はカーボン繊維の質量値（ｇ/ｍ2）である。
【００１３】
剛性調整用メインストレート層及び剛性調整用ストレート層はそれぞれシャフト全長よりも短い長さとされているため、シャフト全長範囲において、剛性調整用メインストレート層が配置された部位ではこの剛性調整用メインストレート層による剛性が支配的とされ、剛性調整用ストレート層が配置された部位ではこの剛性調整用ストレート層による剛性が支配的とされる。剛性調整用メインストレート層及び剛性調整用ストレート層は長さ方向端部同士で重ね合わされているため、この重ね合わせ部で剛性が切り替えられる。したがって重ね合わせ部がヘッド近くの先端側に配置されれば両層による剛性がヘッド近くで切り替えられ、重ね合わせ部がグリップ近くの手元側に配置されれば両層による剛性がグリップ近くで切り替えられる。
【００１４】
剛性調整用メインストレート層及び剛性調整用ストレート層は弾性率及び／又はFAW値を互いに異にしているため、この弾性率及び／又はFAW値の相違にもとづいて両層による剛性が異なったものとされる。態様としては以下のとおりとなる。
【００１５】
（１）弾性率の違いによる作用の違い
（１−１）剛性調整用ストレート層の弾性率が高く、剛性調整用メインストレート層の弾性率が低い場合
この場合、剛性調整用ストレート層によって部分的に剛性が高くなるが、異なる弾性率でＦＡＷ値は同じのため、重量（バランスポイント）変化は伴わない。
（１−２）剛性調整用ストレート層の弾性率が低く、剛性調整用メインストレート層の弾性率が高い場合
この場合、剛性調整用ストレート層によって部分的に剛性が低くなるが、異なる弾性率でＦＡＷ値は同じのため、重量（バランスポイント）変化は伴わない。
【００１６】
（２）FAW値の違いによる作用の違い
（２−１）剛性調整用ストレート層のFAW値が高く、剛性調整用メインストレート層のFAW値が低い場合
この場合、剛性調整用ストレート層によって部分的に剛性が高くなるが、同じ弾性率のため、ＦＡＷ値違いにより重量（バランスポイント）変化が可能となる。
（２−２）剛性調整用ストレート層のFAW値が低く、剛性調整用メインストレート層のFAW値が高い場合
この場合、剛性調整用ストレート層によって部分的に剛性が低くなるが、同じ弾性率のため、ＦＡＷ値違いにより重量（バランスポイント）変化が可能となる。
【００１７】
剛性調整用メインストレート層及び剛性調整用ストレート層はそれぞれ、その長さ方向端部で長さ方向に対し直角にカットした形状であっても良いが、長さ方向端部で長さ方向に対し斜めにカットした斜辺部を備える形状であっても良く、このように斜辺部を設けてこれを両層の重ね合わせ部に配置することにより、急激な剛性変化を防ぐことが可能とされる。
【００１８】
１本のシャフトにおいて、剛性調整用メインストレート層によって定められる剛性が剛性調整用ストレート層によって定められる剛性に切り替わっていることを製品特性として明確に表すには、剛性調整用ストレート層に或る程度の長さを設定することが必要とされる。また、剛性調整用メインストレート層によって定められる剛性を剛性調整用ストレート層によって定められる剛性に滑らかに切り替えるには両層の重ね合わせ部に或る程度の長さを設定することが必要とされるが、こちらのほうは、重ね合わせ部の長さが長過ぎると剛性の切り替えが却って不明確になる。そこで前者の、剛性調整用ストレート層の長さについてはこれを１００ｍｍ未満とすると剛性の切り替えが製品特性として明確に表れないので、１００ｍｍ以上に設定するのが好適あり、後者の、重ね合わせ部の長さについてはこれを５０ｍｍよりも大きくすると剛性の切り替えが不明確になるので、５０ｍｍ以下、より好ましくは２０ｍｍ以下、一層好ましくは５〜１０ｍｍ程度に設定するのが好適である。
【００１９】
また、１本のシャフトにおいて、剛性調整用メインストレート層及び剛性調整用ストレート層をどのように配置するかについては、以下の態様が考えられる。
（１）シャフトのヘッド側（先端側）に剛性調整用メインストレート層を配置するとともにシャフトのグリップ側（手元側）に剛性調整用ストレート層を配置する。
（２）シャフトのグリップ側（手元側）に剛性調整用メインストレート層を配置するとともにシャフトのヘッド側（先端側）に剛性調整用ストレート層を配置する。
（３）シャフトのヘッド側（先端側）及びグリップ側（手元側）にそれぞれ剛性調整用メインストレート層を配置し、その間に剛性調整用ストレート層を配置する。
上記（３）では、シャフト長さ方向の複数箇所で剛性が切り替えられるため、シャフト両端部は剛性が同じで中央のみが異なると云う個性的なシャフト構造を提供することが可能とされる。
【発明の効果】
【００２０】
上記構成を備える本発明によれば、以下の効果が発揮される。
【００２１】
すなわち上記構成及び作用により、簡単に、部分的に剛性の変更・調整が可能となり、剛性曲線を極端に変化させることなく、自然な曲線の形で変化させることが可能となる。したがって、シャフトの撓り具合が局部的でなく、全体の撓りの中での調整になるため、自然な撓りフィーリングを実現することができる。また、設計自由度が広がり、より細やかな剛性調整が可能となるため、シャフト製作のオーダーに対し素早く対応することが可能とされる。また、シャフトの剛性調整区域をシャフトの手元側、中ほど、先端側、又は１箇所、２箇所以上などにおいて自在に調整することが可能とされる。
【図面の簡単な説明】
【００２２】
【図１】本発明の実施例に係るゴルフクラブ用シャフトを備えるゴルフクラブの正面図
【図２】本発明の実施例１に係るゴルフクラブ用シャフトの積層構造を示す説明図
【図３】同シャフトのパターン図
【図４】比較例１に係るゴルフクラブ用シャフトの積層構造を示す説明図
【図５】比較例２に係るゴルフクラブ用シャフトの積層構造を示す説明図
【図６】比較試験の結果を示すグラフ図
【図７】本発明の実施例２に係るゴルフクラブ用シャフトの積層構造を示す説明図
【図８】比較例３に係るゴルフクラブ用シャフトの積層構造を示す説明図
【図９】比較試験の結果を示すグラフ図
【図１０】本発明の実施例３に係るゴルフクラブ用シャフトの積層構造を示す説明図
【図１１】同シャフトのパターン図
【図１２】本発明の実施例４に係るゴルフクラブ用シャフトの積層構造を示す説明図
【図１３】同シャフトのパターン図
【発明を実施するための形態】
【００２３】
本発明には、以下の実施形態が含まれる。
（１）本発明は、シャフト剛性調整方法に係る。
（２）メインストレート材に０ｍｍ以上の重なり部分を設け、剛性調整ストレート材を積層する。重なり部分の幅を５０ｍｍ以下とし、より好ましくは２０ｍｍ以下、さらには５〜１０ｍｍ程度が望ましい。
（３）剛性調整ストレート層は、メインストレート材と弾性率の異なるプリプレグを、斜辺を付けて積層する。
（４）剛性調整ストレート層は、メインストレート材とFAW（ｇ/ｍ2）の異なるプリプレグを、斜辺を付けて積層する。
（５）上記斜辺の角度は２０〜９０°の範囲とする。尚、斜辺を付けずに積層も可能だが、斜辺を付けることにより急な剛性変化を防ぐことができる。
（６）剛性調整ストレート層の全長は１００ｍｍ以上とする。
（７）剛性調整ストレート層は、シャフト全長範囲に積層されるどのストレート層にでも適応可能である。
【実施例】
【００２４】
つぎに本発明の実施例を図面にしたがって説明する。
【００２５】
図１に示すゴルフクラブ１はウッドヘッドクラブであって、先端側（下端側すなわちヘッド側）にウッドヘッド２１を装着するとともに手元側（グリップ側すなわち上端側）にグリップ３１を装着するシャフト１１を備え、このシャフト１１が以下のような複数の強化繊維プリプレグシートよりなる積層構造を備えるものとされている。ウッドヘッドクラブはこれに代えて、アイアンヘッドクラブであっても良い。
【００２６】
実施例１・・・・
実施例１は、シャフトの手元側の剛性を緩やかに下げる態様である。
【００２７】
図２は、各プリプレグすなわち積層体を巻回・積層する前のシート状の状態を示し、これらのシートを順次同芯状に巻回・積層して１本のシャフト１１を製造する。製造に際してはマンドレルを使用する。
【００２８】
図２（ａ）に示すように先ず、シャフト積層構造の最も内側（内周側）に、ガラス繊維又はカーボン繊維をストレート方向（シャフト軸線に対し平行乃至略平行の方向）に配列したプリプレグシートよりなる先端中補強層１２を配置する。この先端中補強層１２はシャフト先端部に位置を限定して配置されるもので、このためその長さを短く設定されている。また、この先端中補強層１２は図示するように直角三角形状のシートとして成形され、その直角の角部をシャフト先端側に配置している。したがって幅広側のシート端部をシャフト先端側へ向けるとともに幅狭側のシート端部をシャフト手元側を向けて配置されている。プリプレグシートを積層するマンドレル形状によってはこの先端中補強層１２を省略することができる。
【００２９】
次いで図２（ｂ）及び（ｃ）に示すように、上記先端中補強層１２の外側（外周側）に、ガラス繊維又はカーボン繊維をバイアス方向（シャフト軸線に対し斜めに交叉する方向）に配列したプリプレグシートよりなるバイアス層１３を配置する。このバイアス層１３はシャフト全長に亙って配置されるもので、このためその長さを長く設定されている。また、このバイアス層１３は図示するように複数（図では２層）が順次配置され、奇数番目のバイアス層１３と偶数番目のバイアス層１３とではガラス繊維又はカーボン繊維のバイアス方向を反対向きとし、互いに交差させている。
【００３０】
次いで図２（ｄ）に示すように、上記バイアス層１３の外側に、弾性率及び／又はFAW値を異にする剛性調整用メインストレート層１４Ａ及び剛性調整用ストレート層１４Ｂの組み合わせよりなる剛性調整用組み合わせプリプレグ層１４を配置する。この組み合わせプリプレグ層１４については後述する。
【００３１】
次いで図２（ｅ）に示すように、上記組み合わせプリプレグ層１４の外側に、ガラス繊維又はカーボン繊維をフープ方向（シャフト軸線に対し直角乃至略直角の方向）に配列したプリプレグシートよりなるフープ層１５を配置する。このフープ層１５はシャフト全長に亙って配置されるもので、このためその長さを長く設定されている。
【００３２】
次いで図２（ｆ）及び（ｇ）に示すように、上記フープ層１５の外側に、ガラス繊維又はカーボン繊維をストレート方向に配列したプリプレグシートよりなるストレート層１６を配置する。このストレート層１６はシャフト全長に亙って配置されるもので、このためその長さを長く設定されている。また、このストレート層１６は図示するように複数（図では２層）が順次配置されている。
【００３３】
次いで図２（ｈ）に示すように、上記ストレート層１６の外側であって最も外側に、ガラス繊維又はカーボン繊維をストレート方向に配列したプリプレグシートよりなる先端補強層１７を配置する。この先端補強層１７はシャフト先端部に限定して配置されるもので、このためその長さを短く設定されている。また、この先端補強層１７は図示するように直角三角形状のシートとして成形され、その直角の角部をシャフト先端側に配置している。したがって幅広側のシート端部をシャフト先端側へ向けるとともに幅狭側のシート端部をシャフト手元側を向けて配置されている。
【００３４】
上記図２（ｄ）の組み合わせプリプレグ層１４は、弾性率３０ｔ、FAW１５０ｇ/ｍ2の剛性調整用メインストレート層１４Ａと、弾性率２４ｔ、FAW１２５ｇ/ｍ2の剛性調整用ストレート層（剛性調整用サブストレート層）１４Ｂとを組み合わせたものであって、これら剛性調整用メインストレート層１４Ａ及び剛性調整用ストレート層１４Ｂがそれぞれシャフト全長よりも短い長さとされ、剛性調整用メインストレート層１４Ａがシャフト先端側に配置されるとともに剛性調整用ストレート層１４Ｂがシャフト手元側に配置され、両層１４Ａ，１４Ｂが長さ方向端部１４Ａａ，１４Ｂａ同士で重ね合わされている。重ね合わされた状態の両層１４Ａ，１４Ｂの長さはシャフト全長と同等とされている。剛性調整用メインストレート層１４Ａは剛性調整用ストレート層１４Ｂよりも長く設定され、これにより図３のパターン図に示すように、両層１４Ａ，１４Ｂはその重ね合わせ部Ｋがシャフト長さ方向中央部よりも手元側に配置されている。また、上記端部１４Ａａ，１４Ｂａにそれぞれ、シャフト長さ方向に対し斜めにカットした形状の斜辺部１４Ａｂ，１４Ｂｂが設けられている（図はカット前の状態を示し、ｃｕｔ線にてカットされる）。
【００３５】
比較例１・・・・
図４は、上記実施例１に対する比較例１を示し、すなわちこの比較例１では、上記実施例１における図２（ｄ）の組み合わせプリプレグ層１４がこれに代えて、図２（ｆ）（ｇ）と同様なストレート層１６とされている。
【００３６】
比較例２・・・・
図５は、上記実施例１に対する比較例２を示し、すなわちこの比較例２では、上記実施例１における図２（ｄ）の組み合わせプリプレグ層１４のうちの剛性調整用ストレート層１４Ｂが省略されている。
【００３７】
上記各例の比較・・・・
上記各例におけるシャフト剛性分布の比較試験を行ったところ、図６のグラフ図に示される結果であった。
剛性分布／調子係数計測条件
計測条件：スパン３００ｍｍ（１５０ｍｍ：１５０ｍｍ）  ２ｍｍ圧縮荷重
計測機器：シャフトアナライザー
すなわち図６のグラフ図に示されるように、比較例１では剛性調整が行われず、比較例２ではシャフト手元部にて極端に剛性が下がったのに対し、実施例１ではシャフト手元部にて緩やかに剛性が下がることを確認することができた。
【００３８】
実施例２・・・・
この実施例２は、シャフトの手元側の剛性を緩やかに上げる態様である。
【００３９】
図７は、実施例２を示し、すなわちこの実施例２では、上記実施例１における図２（ｄ）の組み合わせプリプレグ層１４がこれに代えて、以下のように設定されている。
【００４０】
すなわち、図７（ｄ）の組み合わせプリプレグ層１４は、弾性率３０ｔ、FAW１５０ｇ/ｍ2の剛性調整用メインストレート層１４Ａと、弾性率３０ｔ、FAW１７５ｇ/ｍ2の剛性調整用ストレート層（剛性調整用サブストレート層）１４Ｂとを組み合わせたものとされている（上記実施例１とは弾性率及びFAW値の数値が異なる）。これら剛性調整用メインストレート層１４Ａ及び剛性調整用ストレート層１４Ｂはそれぞれシャフト全長よりも短い長さとされ、剛性調整用メインストレート層１４Ａがシャフト先端側に配置されるとともに剛性調整用ストレート層１４Ｂがシャフト手元側に配置され、両層１４Ａ，１４Ｂが長さ方向端部１４Ａａ，１４Ｂａ同士で重ね合わされている。重ね合わされた状態の両層１４Ａ，１４Ｂの長さはシャフト全長と同等とされている。剛性調整用メインストレート層１４Ａは剛性調整用ストレート層１４Ｂよりも長く設定され、これにより両層１４Ａ，１４Ｂはその重ね合わせ部がシャフト長さ方向中央部よりも手元側に配置されている。また、上記端部１４Ａａ，１４Ｂａにそれぞれ、シャフト長さ方向に対し斜めにカットした形状の斜辺部１４Ａｂ，１４Ｂｂが設けられている（図はカット前の状態を示し、ｃｕｔ線にてカットされる）。実施例２におけるその他の構成は上記実施例１と同じとされている。
【００４１】
比較例１・・・・前述と同じ
比較例３・・・・
図８は、上記実施例２に対する比較例３を示し、すなわちこの比較例３では、上記比較例１に係る図４の手元側に（Ｃ’）として剛性調整用ストレート層１４Ｂを追加することにより部分的に剛性を向上させている。
【００４２】
上記各例の比較・・・・
上記各例におけるシャフト剛性分布の比較試験を行ったところ、図９のグラフ図に示される結果であった。
剛性分布／調子係数計測条件
計測条件：スパン３００ｍｍ（１５０ｍｍ：１５０ｍｍ）  ２ｍｍ圧縮荷重
計測機器：シャフトアナライザー
すなわち図９のグラフ図に示されるように、比較例１では剛性調整が行われず、比較例３ではシャフト手元部にて極端に剛性が上がったのに対し、実施例２ではシャフト手元部にて緩やかに剛性が上がることを確認することができた。
【００４３】
実施例３・・・・
上記実施例１及び実施例２では、シャフト手元側で剛性を緩やかに下げる又は上げる態様であったが、シャフト手元側ではなくシャフト先端側で剛性を緩やかに下げる又は上げる態様とする場合には例えば図１０に示すように、比較的長い剛性調整用メインストレート層１４Ａをシャフト手元側に配置するとともに比較的短い剛性調整用ストレート層１４Ｂをシャフト先端側に配置し、これにより図１１のパターン図に示すように、両層１４Ａ，１４Ｂの重ね合わせ部Ｋをシャフト長さ方向中央部よりも先端側に配置する。
【００４４】
実施例４・・・・
また、シャフト手元側及びシャフト先端側の２箇所でそれぞれ剛性を緩やかに下げる又は上げる態様とすることも考えられ、この場合には例えば図１２に示すように、シャフト手元側及びシャフト先端側にそれぞれ剛性調整用メインストレート層１４Ａを配置するとともにその間に剛性調整用ストレート層１４Ｂを配置し、これにより図１３のパターン図に示すように、両層１４Ａ，１４Ｂの重ね合わせ部Ｋをシャフト手元側及びシャフト先端側にそれぞれ配置する。
【符号の説明】
【００４５】
１  ゴルフクラブ
１１  シャフト
１２  先端中補強層
１３  バイアス層
１４  組み合わせプリプレグ層
１４Ａ  剛性調整用メインストレート層
１４Ｂ  剛性調整用ストレート層
１５  フープ層
１６  ストレート層
１７  先端補強層
２１  ヘッド
３１  グリップ
Ｋ  重ね合わせ部
【図１】
0006542009.tif 000002
【図２】
0006542009.tif 000003
【図３】
0006542009.tif 000004
【図４】
0006542009.tif 000005
【図５】
0006542009.tif 000006
【図６】
0006542009.tif 000007
【図７】
0006542009.tif 000008
【図８】
0006542009.tif 000009
【図９】
0006542009.tif 000010
【図１０】
0006542009.tif 000011
【図１１】
0006542009.tif 000012
【図１２】
0006542009.tif 000013
【図１３】
0006542009.tif 000014